(57)【特許請求の範囲】
【請求項１】
種々のスキー訓練用のスキーであって、
下面及びエッジをそれぞれに有し、２つのスキー部分が接合するように設計された隣接端部（１２’）を備えた、分割されるスキーの前部（１１）及び後部（１２）と、
ヒンジ装置（Ａ）であって、前記スキーを使用する際には、前記２つのスキー部分を堅く接合して一列に並んだ同一平面の位置とするように、かつ、前記２つのスキー部分を、完全には引き離さずに、一方の下面が他方に重なる位置で折りたたむことができるように、前記２つのスキー部分の隣接端部間に配置された前記ヒンジ装置（Ａ）と、
前記２つのスキー部分を一列に並んだ位置で固定させる固定手段（２１、２３、３１）と、
スキーバインディング領域のレイジングプレート（３２’、３２”）と、を備え、
前記２つのスキー部分の隣接端部は、前記下面に対して傾斜面（１２’）で組み合わされるスキーであって、
前記ヒンジ装置（Ａ）は、
前記一方のスキー部分の隣接端部に取り付けられた第１のヒンジプレート（１７）と、
前記他方のスキー部分の隣接端部から前記他方のスキー部分内を長さ方向に延びる溝（２０）内に沿って滑動する第２のヒンジプレート（１８）と、
前記ヒンジプレート（１７、１８）の２つの相接端部を接合し、かつ、前記スキーの方向に対して直角に取り付けられたヒンジ軸（１９）と、を有し、
前記溝は、前記２つのスキー部分が一列に並ぶ位置となるとき、前記２つのプレートを収容するのに十分な深さであり、
前記固定手段は、前記スキーの前部（１１）及び後部（１２）に形成された孔（２２）に挿入される止めピン（２１）、前記他方のスキー部分及び前記いずれかのヒンジプレート（１７，１８）に形成された孔に挿入されるピン（２３）、又は他方のスキー部分から内部に延び前記いずれかのヒンジプレート（１７，１８）に固定される固定ネジ（３１）であることを特徴とするスキー。
【請求項２】
種々のスキー訓練用のスキーであって、
下面及びエッジをそれぞれに有し、２つのスキー部分が接合するように設計された隣接端部（１２’）を備えた、分割されるスキーの前部（１１）及び後部（１２）と、
ヒンジ装置（B）であって、前記スキーを使用する際には、前記２つのスキー部分を堅く接合して一列に並んだ同一平面の位置とするように、かつ、前記２つのスキー部分を、完全には引き離さずに、一方の下面が他方に重なる位置で折りたたむことができるように、前記２つのスキー部分の隣接端部間に配置された前記ヒンジ装置（B）と、
前記２つのスキー部分を一列に並んだ位置で固定させる固定手段（２１、２３、３１）と、
スキーバインディング領域のレイジングプレート（３２’、３２”）と、を備え、
前記２つのスキー部分の隣接端部は、前記下面に対して傾斜面（１２’）で組み合わされるスキーであって、
前記ヒンジ装置（Ｂ）は、
前記一方のスキー部分の隣接端部に取り付けられた第１のヒンジプレート（２６）と、
前記他方のスキー部分の隣接端部から前記他方のスキー部分内を長さ方向に延びる溝（２８）内に沿って滑動する第２のヒンジプレート（２７）と、
前記第１のヒンジプレート及び第２のヒンジプレートを連結する第３のヒンジプレート（２８）と、を有し、
前記第３のヒンジプレートは、スキーの方向に対して直角に取り付けられたヒンジ軸（３０）により前記第１のヒンジプレート及び第２のヒンジプレートを合体させ、
前記溝は、前記２つのスキー部分が一列に並んだ位置となるとき、前記３つのヒンジプレートを収容するのに十分な深さであり、
前記固定手段は、前記スキーの前部（１１）及び後部（１２）に形成された孔（２２）に挿入される止めピン（２１）、前記他方のスキー部分及び前記いずれかのヒンジプレート（１７，１８）に形成された孔に挿入されるピン（２３）、又は他方のスキー部分から内部に延び前記いずれかのヒンジプレート（１７，１８）に固定される固定ネジ（３１）であることを特徴とするスキー。
【請求項３】
前記第２のヒンジプレートは、前記２つのスキー部分が完全には外れないようにするために、前記溝に沿いブロックリッジを止めるように設計された引き抜きブロック手段（２４、３３）を有する請求項１又は２に記載のスキー。
【請求項４】
前記スキーには、前記スキーバインディングを支持するプラットフォームプレートが予め装着されており、
前記プラットフォームプレートは、２つの部分（３２’、３２’’）に、すなわち、一方のスキー部分の第１の部分と他方のスキー部分の第２の部分とに分割され、
前記２つの部分が、抽斗方式（３２ａ）で接合すると、前記２つのスキー部分が一列に並んだ位置となり、かつ、引き離すと、前記２つのスキー部分が折りたたまれる、請求項１から３のいずれかに記載のスキー。
【発明の詳細な説明】
【０００１】
（発明の属する技術分野）
本発明は、以下のスキー訓練全て、すなわち、ダウンヒル、クロスカントリー、アルペン、アクロバティック、スノーボード、テレマークに使用可能な折りたたみ式スキーに関する。
【０００２】
（発明の背景）
アルペンスキー、ノルディックスキー、テレマーク、またはスノーボード用のいずれにせよ、今日使用されるあらゆる種類のスキーは、種々の使用目的に応じて長さ及び幅が異なるが、装具の本体が単一の連続した断片であることに目を向ければ、大きさは異なることのないように作られる装具片であることは、公知である。これにより、特に長さが限定要因となって、自動車の屋根に固定された特別なスキーラックを使用して装具及び手段の輸送を行うことは困難となる。
【０００３】
車輌の屋根にスキーを置くことは、現在商業目的のスキーには起こることだが、最近の調査で非常に危険であることが分かった。事故（車輌同士の衝突または通常の運転中に受ける衝突及び追突）の場合、スキーが、衝撃と運動エネルギーの結果として支持部から外れてしまい、別の車輌及びその車輌に乗っている人に向かって「槍」投げが行われることになりかねず、深刻な損傷又は怪我を引き起こす危険がある。
【０００４】
今日製造されるスキーは、種々の製造業者により利用される製造方法によって相互に異なり、さらに、同じスキータイプの範囲内でさえ特定の最終使用目的により相異する。しかしながら、装具の構成に必須のスキー部品を系統立てかつ分類することはできる。それは、滑走用下面と、下面のいずれかの側にあり雪に切り込むための２つの金属エッジと、木からなるまたは素材を注入した芯と、複合材料からなりかつデザインが印刷されている外側カバーとから成る。さらに、今日、スキーとスキー靴のバインディングとの間に衝撃吸収プレートを固定することが、一般的に行われており、これは、スキーバインディング装置の弾性を改良するとともに、靴自体とスキー下面との間の間隔を広げることに役立つ。
【０００５】
従来のスキーに関する上記の欠点を克服するための折りたたみ式スキーが、すでに提案されている。特に米国特許第３，６８９号及び米国特許第４，６３２，４１８号明細書は、前部及び後部に分割される、種々の訓練用の折りたたみ式スキーであって、スキーの使用準備をする際には底面に対して傾斜面で組み合わされ、かつ、底面と底面とを合わせてスキーを二つ折りにするための単純なヒンジ手段が備えられた折りたたみ式スキーを開示している。
【０００６】
しかしながら、これらの折りたたみ式スキーは、今日、特にダウンヒル用のスキーに要求される、衝撃吸収プレートを使用することと関連した弾性を高めることなどの、技術的、機能的特徴を満たしてはいない。
【０００７】
（発明の目的及び利点）
本発明の目的は、長さの点で嵩を低減した折りたたみ式スキーを供給することである。
【０００８】
第１から派生した別の目的は、スキーを形成することであって、該スキーは、スキーというスポーツをあらゆる形式で行うのに要求される物理的かつ機械的特性を維持するものの、半分に折りたたまれ、特別なシステムは使用しないが寸法が小さくなったことにより種々のコンテナを使用することによって、より簡単に輸送可能であって、その結果として、車輌のトランクに簡単に積み込み可能である。
【０００９】
（発明の詳細）
これらの目的は、種々のスキー訓練用のスキーにより達成され、該スキーは、
−組み合わさるように設計された隣接端部を有し下面及びエッジをそれぞれ有するスキーの別個の前部及び後部と、
−それらを一列に並ばせかつ同一平面とする位置で堅く接合させるために前記隣接端部の間に配置され、かつ、スキーの２つの部分を（完全には引き離さずに）下面に対して下面が重なる位置で折りたたむことができる、ヒンジ装置と、
−スキーの２つの部分を一列に並んだ位置に安定させる手段とからなる。
【００１０】
本発明は、スキー靴バインディング用の通常の衝撃吸収プレート及び支持プラットフォームの有無を問わずスキーに適用可能である。
【００１１】
（発明の詳細な説明）
本発明のさらなる詳細は、同封の図面を参照して行われる以下の記載から明らかとなるが、これらは、例として示すものであって限定するものではない。
【００１２】
本スキーは、２つの別個の部分、前部１１及び後部１２からなり、それぞれは、エッジ１３’が適用される下面１３と、木からなるまたは素材を注入した芯１４と、複合材料のカバー１５とからなる。図１〜図７の実施形態において、スキーの２つの部分１１及び１２の隣接端部が、傾斜面１２’において組み合わされる。これらは、バインディングを固定する上基部１６及び、前記端部を接合するヒンジ装置Ａも組み込んでいる。この装置は、例えば、カーボン、ケブラー、またはファイバーグラスなどの複合材料から作られた、ヒンジ軸１９により接合される２つの内側プレート１７及びプレート１８からなる。第１のプレート１７は、スキーの一方の部分に、図示した例においては後部１２に固定されており、他方のプレート１８は、スキーの他方の部分にすなわち前部１１に配置された溝２０に沿い滑動可能である。
【００１３】
スキーの使用準備をする際には、滑動プレート１８と、固定プレート１７の、ヒンジ軸１９に近い少なくとも一部分とを溝２０に挿入すると、スキーの２つの部分１１及び１２が、一列に並びかつ同一平面となる。この配置は、組み合わせ面１２’（図２、図２ａ）の向き合った側に配置された２つの対応する孔２２に２つの止めピン２１を挿入することにより確保される。その代わりとして、図３及び図３ａに図示したように、この目的のために垂直ピン２３を使用し、ヒンジプレート１７、１８のうち一方に垂直にそれを配置することができ、しかも、それは、一度取り外すと、連続した段階的折りたたみが容易となるように、２つのスキー部分１１及び１２にわずかな間隙をもたらすように設計することもできる。
【００１４】
止めピンまたはピンを取り外してスキーを折りたたむためには、まず、溝２０からプレート１８を引き出すことにより、２つの前部及び後部に引き離す必要がある。前記プレート１８は、前端近くに配置されているとともに溝２０の入口に配置された止め部と相互作用する留め部２４により、溝から完全には出ないようにされている（図５及び図５ａ）。
【００１５】
２つの部分１１及び１２が、一度引き離されると、それらは、２つのプレート１７、１８を接合するヒンジ軸１９の周りを相互に回転する位置となり、最終的に、下面１３を向かい合わせて平行となる（図６、図７）。
【００１６】
図８、図９及び図１０に図示した実施形態において、スキーの２つの部分１１及び１２の隣接端部は、傾斜面１２’で接合する。ただし、それらには、３つの要素からなるヒンジ装置Ｂが組み込まれている。すなわち、スキーの一方の部分、例えば前部の隣接端部に取り付けられた第１のプレート２６と、スキーの他方の部分の隣接端部に取り付けられ溝２８と接合される第２の滑動プレート２７と、ヒンジ軸３０により前の２つを接合しスキーに対して直角に配置される第３のヒンジプレート２９とからなる。プレート２６及びプレート２７は、固定ねじ３１を受け取るように設計されたハウジング２６’及びハウジング２７’を有している。このねじは、プレート２６、プレート２７に垂直であって、ハウジング２６’に固定されると、使用準備ができたスキーの２つの部分１１、１２を安定させ（図８）、かつ、ハウジング２７’に固定されると、折りたたまれたスキーの２つの部分を安定させる（図１０）。
【００１７】
滑動プレート２７は、スキーの２つの部分が引き離される時に完全には外れないように溝２８の一方の端部と相互作用するように設計されたブロックリッジ３３も有している（図９）。
【００１８】
このために、この場合においても、スキーの使用準備をする際に（図８）、前部及び後部を結合してねじ３１によりその位置で保持すると、ねじ３１が、固定されたプレート２６のハウジング２６’に固定される。折りたたむためには、ねじ３１を取り外して、スキーを、２つの部分に引き離し（図９）、図１０に図示したように、ヒンジ軸３０の周りにおいて回転させることによりこの２つの部分を折りたたむと、最終的に、それらが、結合され再度ねじ３１によりブロックされる。
【００１９】
ねじ３１は、図１〜７に図示した実施形態において、ヒンジプレートに垂直なピン２３の代わりに、ブロックするためにも使用可能であることに留意すべきである。
【００２０】
さらに、スキーについての両実施形態では、バインディング３２用の支持プラットフォームとして通常のベースプレートを備え付け可能であることには触れておく価値がある。前記ベースプレートは、唯一、２つの部分３２’及び３２’’に分割させる必要があり、それぞれが、スキーの個別の部分に固定されるとともに、双方が抽斗方式３２ａではめ込まれると、２つのスキー部分が一列に並びブロックされ使用準備が整うように設計される。
【図面の簡単な説明】
【図１】  使用準備ができたスキーを示す。
【図２】  第１の実施形態の、図１において円で囲んだスキーの一部分を拡大した図である。
【図２ａ】  第１の安定化システムを伴った、図２を上から見た図である。
【図３】  別の安定化システムを伴った、図１において円で囲んだスキーの一部分を拡大した図である。
【図４】  引き離されているが折りたたむ前の、スキーの２つの部分の図である。
【図５】  図４において円で囲んだスキーの一部分を拡大した図である。
【図５ａ】  図５を上から見た図である。
【図６】  折りたたみ時のスキーの図である。
【図７】  図６において円で囲んだスキーの一部分を拡大した図である。
【図８】  第２の実施形態におけるヒンジ装置を伴った、使用準備ができた１つのスキーの図である。
【図９】  第２の実施形態におけるヒンジ装置を伴った、折りたたむために２つの部分に引き離した時の１つのスキーの図である。
【図１０】  第２の実施形態におけるヒンジ装置を伴った、折りたたんだ１つのスキーの図である。
【図２ａ】
0004641622.tif 000002
【図２】
0004641622.tif 000003
【図１】
0004641622.tif 000004
【図３ａ】
0004641622.tif 000005
【図３】
0004641622.tif 000006
【図５】
0004641622.tif 000007
【図５ａ】
0004641622.tif 000008
【図４】
0004641622.tif 000009
【図７】
0004641622.tif 000010
【図６】
0004641622.tif 000011
【図８】
0004641622.tif 000012
【図９】
0004641622.tif 000013
【図１０】
0004641622.tif 000014